(57)【特許請求の範囲】
【請求項１】
ベッドに関連付けて使用される機器と接続可能な接続装置と、
前記接続装置と通信可能な情報処理装置と、
を具備し、
前記接続装置は、
施設に設置されており第１の識別情報を発信するデバイスから前記第１の識別情報を受信し、前記第１の識別情報と前記接続装置に対応する第２の識別情報とを、前記情報処理装置へ送信し、
前記情報処理装置は、
前記第１の識別情報と前記デバイスに関するデバイス情報とを関連付けた第１のデータと、前記第２の識別情報と、前記機器に対応する第３の識別情報とを関連付けた第２のデータとを記憶する記憶部と、
前記接続装置から受信した前記第１の識別情報および前記第２の識別情報と、前記記憶部に記憶されている前記第１のデータおよび前記第２のデータとに基づいて、前記機器に関連する前記デバイス情報を検出するプロセッサと、
を具備し、
前記デバイス情報は、第１の位置データを含み、
前記記憶部は、ユーザに対応するユーザ識別情報と前記ユーザに対応する第２の位置データとを関連付けた第３のデータをさらに記憶し、
前記プロセッサは、前記機器ごとに、前記第１の位置データと、前記第１の位置データと整合する前記第２の位置データに関連する前記ユーザ識別情報と、を検出する、
情報処理システム。
【請求項２】
前記プロセッサは、前記接続装置が前記第１の識別情報を検出した場合に、前記接続装置から前記第１の識別情報および前記第２の識別情報を受信する、
請求項１の情報処理システム。
【請求項３】
前記デバイスは、コンセントに関連付けられており、
前記接続装置は、前記デバイスから発信された前記第１の識別情報を検出するセンサと、前記センサを備えるプラグとをさらに具備する、
請求項１または請求項２の情報処理システム。
【請求項４】
前記デバイス情報は、前記デバイスに関連付けられている前記コンセントに関するコンセント情報を含み、
前記第１のデータは、前記第１の識別情報と、前記コンセントに対応する第４の識別情報と、前記コンセントに関する前記コンセント情報とを関連付けている、
請求項３の情報処理システム。
【請求項５】
ベッドに関連付けて使用される機器と接続可能な接続装置、と通信可能なプロセッサと、
前記プロセッサによってアクセス可能な記憶部と、
を具備し、
前記記憶部は、
施設に設置されているデバイスに対応する第１の識別情報と、前記デバイスに関するデバイス情報とを関連付けた第１のデータと、前記接続装置に対応する第２の識別情報と、前記機器に対応する第３の識別情報とを関連付けた第２のデータとを記憶し、
前記プロセッサは、
前記接続装置から受信した前記第１の識別情報および前記第２の識別情報と、前記記憶部に記憶されている前記第１のデータおよび前記第２のデータとに基づいて、前記機器に関連する前記デバイス情報を検出し、
前記デバイス情報は、第１の位置データを含み、
前記記憶部は、ユーザに対応するユーザ識別情報と前記ユーザに対応する第２の位置データとを関連付けた第３のデータをさらに記憶し、
前記プロセッサは、前記機器ごとに、前記第１の位置データと、前記第１の位置データと整合する前記第２の位置データに関連する前記ユーザ識別情報と、を検出する、
情報処理装置。
【請求項６】
コンピュータに、
施設に設置されているデバイスに対応する第１の識別情報と、前記デバイスに関するデバイス情報とを関連付けた第１のデータと、ベッドに関連付けて使用される機器と接続可能な接続装置に対応する第２の識別情報と、前記機器に対応する第３の識別情報とを関連付けた第２のデータとを、記憶部に記憶させる第１の機能と、
前記接続装置から受信した前記第１の識別情報および前記第２の識別情報と、前記記憶部に記憶されている前記第１のデータおよび前記第２のデータとに基づいて、前記機器に関連する前記デバイス情報を検出する第２の機能と、
を実現させ、
前記デバイス情報は、第１の位置データを含み、
前記第１の機能は、ユーザに対応するユーザ識別情報と前記ユーザに対応する第２の位置データとを関連付けた第３のデータを、前記記憶部にさらに記憶させ、
前記第２の機能は、前記機器ごとに、前記第１の位置データと、前記第１の位置データと整合する前記第２の位置データに関連する前記ユーザ識別情報をさらに検出する、
ためのプログラム。
【発明の詳細な説明】
【技術分野】
【０００１】
本発明は、施設で使用される様々な機器を効率的に管理するための情報処理システム、情報処理装置、および、プログラムに関する。
【背景技術】
【０００２】
例えば、医療機関または介護施設などのような施設では、患者または被介護者に対して複数の機器が準備される場合がある。患者または被介護者は、自分に対して準備された複数の機器を使用可能である。
【先行技術文献】
【特許文献】
【０００３】
【特許文献１】特許第６６８２０３４号公報
【発明の概要】
【発明が解決しようとする課題】
【０００４】
管理者が、患者または被介護者ごとに割り当てられた複数の機器をまとめて管理する場合、この管理者の負担が大きくなる場合がある。
【０００５】
本発明は、上記実情に鑑みてなされたものであり、施設で使用される様々な機器を効率的に管理するための情報処理システム、情報処理装置、および、プログラムに関する。
【課題を解決するための手段】
【０００６】
本発明の情報処理システムは、接続装置と情報処理装置とを備える。接続装置は、ベッドに関連付けて使用される機器と接続可能である。情報処理装置は、接続装置と通信可能である。接続装置は、施設に設置されており第１の識別情報を発信するデバイスから第１の識別情報を受信し、第１の識別情報と接続装置に対応する第２の識別情報とを、情報処理装置へ送信する。情報処理装置は、記憶部とプロセッサとを備える。記憶部は、第１の識別情報とデバイスに関するデバイス情報とを関連付けた第１のデータと、第２の識別情報と、機器に対応する第３の識別情報とを関連付けた第２のデータとを記憶する。プロセッサは、接続装置から受信した第１の識別情報および第２の識別情報と、記憶部に記憶されている第１のデータおよび第２のデータとに基づいて、機器に関連するデバイス情報を検出する。デバイス情報は、第１の位置データを含む。記憶部は、ユーザに対応するユーザ識別情報とユーザに対応する第２の位置データとを関連付けた第３のデータをさらに記憶する。プロセッサは、機器ごとに、第１の位置データと、第１の位置データと整合する第２の位置データに関連するユーザ識別情報とを検出する。
【発明の効果】
【０００７】
本発明によれば、施設で使用される様々な機器を効率的に管理することができる。
【図面の簡単な説明】
【０００８】
【図１】第１の実施形態に係る情報処理システムの例を示すブロック図。
【図２】第１の実施形態に係る情報処理システムによって管理される第１ないし第４の関連付けデータの例を示す図。
【図３】第１の実施形態に係る情報処理システムの第１の処理の例を示すフローチャート。
【図４】第１の実施形態に係る情報処理システムの第２の処理の例を示すフローチャート。
【図５】第１の実施形態に係る情報処理システムの第３の処理の例を示すフローチャート。
【図６】第２の実施形態に係る情報処理システムの例を示すブロック図。
【図７】第２の実施形態に係る電子カルテと患者データと端末データと補充位置データと指定情報との関係の例を示す図。
【図８】第２の実施形態に係る情報処理システムの処理の例を示すフローチャート。
【図９】第２の実施形態に係る情報処理システムの概略を例示する図。
【発明を実施するための形態】
【０００９】
以下、図面を参照して実施形態を説明する。図面において、同一の機能及び構成要素については、同一符号を付して説明を省略するか、または、簡単に説明を行う。
【００１０】
（第１の実施形態）
第１の実施形態では、ＲＦＩＤ（Radio Frequency Identifier）タグに対応するタグＩＤと、ＲＦＩＤタグが付されているコンセントに対応するコンセントＩＤと、コンセントの位置データと、少なくとも１つの機器に対応する機器ＩＤと、少なくとも１つの機器が接続される接続装置に対応する接続装置ＩＤと、ユーザＩＤと、ユーザの位置データとを関連付けた関連付けデータを管理する情報処理システムを説明する。
【００１１】
なお、第１の実施形態において、コンセントＩＤは、省略されてもよい。この場合、コンセントＩＤとコンセントの位置データとに代えて、ＲＦＩＤタグとＲＦＩＤタグの位置データが使用されてもよい。第１の実施形態において、ＩＤとは、識別情報または識別子を意味するものとする。
【００１２】
第１の実施形態に係る情報処理システムは、関連付けデータに基づいて、接続装置に接続されている少なくとも１つの機器のユーザ、位置、使用状態を検出する。
【００１３】
第１の実施形態に係る情報処理システムは、医療分野に適用される場合を例として説明するが、例えば介護分野などの他の分野に適用されてもよい。
【００１４】
図１は、第１の実施形態に係る情報処理システム１の例を示すブロック図である。
図２は、第１の実施形態に係る情報処理システム１によって管理される第１ないし第４の関連付けデータＤ１〜Ｄ４の例を示す図である。
【００１５】
情報処理システム１は、医療サーバＳａと、管理サーバＳｂと、管理端末２と、接続装置３とを備える。接続装置３は少なくとも１つの機器と接続される。機器は、例えばベッドを使用する患者、医療機関のスタッフ（例えば医師、看護師、医療機関の事務員など）などのユーザによって使用される。機器は、例えば、患者に対して使用される医療機器でもよい。機器は、例えば、施設内で使用される装置である。機器は、例えば、ベッドに関連付けて使用される装置でもよい。図１では、機器の例として、ベッドサイド端末４、テレビジョン５、冷蔵庫６が記載れている。ベッドサイド端末４、テレビジョン５、冷蔵庫６は、ベッドサイドに配置される棚に備えられてもよい。
【００１６】
医療サーバＳａと管理サーバＳｂとは、例えば、ネットワークＮ１経由で通信可能である。管理サーバＳｂと管理端末２とは、例えば、ネットワークＮ２経由で通信可能である。管理サーバＳｂと接続装置３とは、例えば、ネットワークＮ３経由で通信可能である。管理サーバＳｂとベッドサイト端末４とは、例えば、ネットワークＮ４経由で通信可能である。
【００１７】
ネットワークＮ１〜Ｎ４のそれぞれは、自由に組み合わせてもよい。ネットワークＮ１〜Ｎ４のそれぞれは、例えば、専用回線、インターネット、ＬＡＮ（Local Area Network）、または、無線ＬＡＮなどのようなネットワークでもよい。以下においては、説明を簡略化するため、ネットワークＮ１〜Ｎ４を省略して説明する場合がある。
【００１８】
医療サーバＳａと、管理サーバＳｂと、管理端末２と、ベッドサイド端末４とは、例えばコンピュータまたは情報処理装置である。ベッドサイド端末４は、例えば、タブレット型コンピュータとしてもよい。
【００１９】
図１において、医療機関に設置されているコンセント７には、コンセント７に対応するＲＦＩＤタグ７ａが関連付けられている。なお、ＲＦＩＤタグ７ａは、識別情報を発信する様々な種類のデバイスのいずれかでもよい。ＲＦＩＤタグ７ａは、例えばＩＣ（Integrated Circuit）タグでもよい。
【００２０】
医療サーバＳａは、例えば、通信部Ｃ１、記憶部Ｍ１、プロセッサＰ１を備える。
【００２１】
記憶部Ｍ１は、例えば、ソフトウェア８と、患者情報９ａを含む電子カルテ９とを記憶する。
【００２２】
プロセッサＰ１は、例えば、記憶部Ｍ１に記憶されているソフトウェア８を実行することにより、編集部１０およびデータ検索部１１としての機能を実現する。ソフトウェア８は、例えば、ＯＳ（オペレーティングシステム）、医療情報システムとしての機能を実現するためのアプリケーション・ソフトウェア、通信制御ソフトウェアなどを含むとしてもよい。
【００２３】
管理サーバＳｂは、例えば、通信部Ｃ２、記憶部Ｍ２、プロセッサＰ２を備える。
【００２４】
記憶部Ｍ２は、プロセッサＰ１によってアクセスされる。記憶部Ｍ２は、例えば、ソフトウェア４６、端末データ１２、患者データ１３、表示データ１４、第１ないし第４の関連付けデータＤ１〜Ｄ４を記憶する。
【００２５】
プロセッサＰ２は、例えば、記憶部Ｍ２に記憶されているソフトウェア４６を実行することにより、管理部１５および制御部１６としての機能を実現する。ソフトウェア４６は、例えば、ＯＳ、接続装置３と連携して当該接続装置３に接続されている各種の機器を管理するためのアプリケーション・ソフトウェア、医療サーバＳａと連携して表示データ１４を生成し、生成した表示データ１４をベッドサイド端末４へ送信するためのアプリケーション・ソフトウェア、通信制御ソフトウェアなどを含むとしてもよい。
【００２６】
管理端末２は、例えば、各種のリクエスト、各種のデータを管理サーバＳｂへ送信する。管理端末２は、例えば、医療機関のスタッフにより操作されてもよい。
【００２７】
接続装置３は、例えば、センサ１７ａを含むプラグ１７、通信部Ｃ３、記憶部Ｍ３、プロセッサＰ３、受信部１８、接続部１９などを備える。
【００２８】
記憶部Ｍ３は、ソフトウェア２０、接続装置３を示す接続装置ＩＤ２１、センサ１７ａによって検出され受信部１８によって受信されたタグＩＤ２２を記憶する。
【００２９】
プロセッサＰ３は、例えば、記憶部Ｍ３に記憶されているソフトウェア２０を実行することにより、受信処理部２３および送信処理部２４としての機能を実現する。ソフトウェア２０は、例えば、ＯＳ、センサ１７ａによって検出されたタグＩＤ２２を受信部１８経由で受信し記憶部Ｍ３に記憶させ、記憶部Ｍ３に記憶されている接続装置ＩＤ２１およびタグＩＤ２２を通信部Ｃ３経由で管理サーバＳｂへ送信するためのアプリケーション・ソフトウェア、接続部１９経由で接続されている機器に対する電力供給を制御するアプリケーション・ソフトウェア、通信制御ソフトウェアなどを含むとしてもよい。
【００３０】
ベッドサイド端末４は、ベッドに関連付けて使用される。ベッドサイド端末４は、患者により操作されてもよく、医療機関のスタッフにより操作されてもよい。ベッドサイド端末４は、例えば、各種のリクエスト、各種のデータを管理サーバＳｂへ送信する。ベッドサイド端末４は、例えば、管理サーバＳｂから受信した表示データ１４を表示する。
【００３１】
以下で、医療サーバＳａ、管理サーバＳｂ、接続装置３を順に説明する。
【００３２】
まず、医療サーバＳａを説明する。
【００３３】
医療サーバＳａは、例えば、電子カルテ９を管理する医療情報システムである。
【００３４】
通信部Ｃ１は、他の装置から例えばデータ、情報、信号、リクエスト、コマンド、通知、指示、応答などを受信する。また、通信部Ｃ１は、他の装置へ、例えばデータ、情報、信号、リクエスト、コマンド、通知、指示、応答などを送信する。なお、以下で説明する他の通信部も通信部Ｃ１と同様であるため、他の通信部の説明は省略する。
【００３５】
記憶部Ｍ１は、例えば揮発性メモリと不揮発性メモリとを含む。記憶部Ｍ１は、例えば、ハードディスクドライブ（ＨＤＤ）、または、ソリッドステートドライブ（ＳＳＤ）などのようなストレージデバイスでもよい。記憶部Ｍ１は、主記憶装置を含むとしてもよく、キャッシュメモリを含むとしてもよく、バッファメモリを含むとしてもよい。なお、以下で説明する他の記憶部も、記憶部Ｍ１と同様であるため、他の記憶部の説明は省略する。
【００３６】
ソフトウェア８は、プロセッサＰ１によって実行されることにより、医療情報システムとしての各種機能を実現する。医療情報システムとしての機能としては、例えば、電子カルテ９のためのデータの受信機能、電子カルテ９の編集機能および管理機能、電子カルテ９に含まれているデータの送信機能などがある。
【００３７】
電子カルテ９は、例えば、患者の個人情報、診察内容、診断結果、処方箋、経過情報などを患者ごとに電子的に記録しているデータである。第１の実施形態において、電子カルテ９は、例えば、患者を識別するための患者識別データ、患者に関する位置を示す第２の位置データ、担当の医師を識別するための医師識別データ、患者に関する例えば診察内容、診断結果、処方箋、経過情報などのような診療データ、患者が入院かまたは通院かを示す入院／通院データ（フラグ情報）を関連付けた患者情報９ａを含む。ここで、第２の位置データは、例えば、病棟／病室／ベッドを識別するためのデータでもよい。
【００３８】
プロセッサＰ１は、例えば、ＣＰＵ（Central Processing Unit）、ＭＰＵ（Micro Processing Unit）、ＧＰＵ（Graphics Processing Unit）などである。プロセッサＰ１は、通信部Ｃ１を使用して他の装置と通信可能である。プロセッサＰ１は、記憶部Ｍ１から各種データおよび各種ソフトウェアをリード可能であり、記憶部Ｍ１へ各種データおよび各種ソフトウェアをライト可能である。なお、以下で説明する他のプロセッサも、プロセッサＰ１と同様に、例えば、ＣＰＵ、ＭＰＵ、または、ＧＰＵなどでもよく、通信部を使用して他の装置と通信可能でもよい。また、以下で説明する他のプロセッサも、プロセッサＰ１と同様に、例えば、記憶部からデータおよびソフトウェアをリード可能であり、記憶部へ各種データおよび各種ソフトウェアをライト可能である。
【００３９】
編集部１０は、他の装置から通信部Ｃ１経由で、または、図示しない医療サーバＳａの操作受付部または操作端末から、コマンドを受信し、コマンドにしたがって、記憶部Ｍ１に記憶されている電子カルテ９に対するデータ（例えば患者情報９ａ）の登録、編集、管理、更新、または、削除などを行う。
【００４０】
データ検索部１１は、例えば、管理サーバＳｂなどのような他の装置から通信部Ｃ１経由で受信したコマンドにしたがって、データ検索を実行し、検索されたデータを、通信部Ｃ１経由で他の装置へ送信する。
【００４１】
第１の実施形態において、データ検索部１１は、例えば、管理サーバＳｂから通信部Ｃ１経由で、入院している患者に関する患者情報９ａの検索コマンドを受信する。そして、データ検索部１１は、電子カルテ９から、入院／通院データに基づいて入院している患者に関する患者情報９ａを含む患者データ１３を抽出し、抽出した患者データ１３を通信部Ｃ１経由で管理サーバＳｂへ送信する。
【００４２】
また、第１の実施形態において、データ検索部１１は、例えば、管理サーバＳｂから通信部Ｃ１経由で、患者識別データと検索コマンドを受信する。そして、データ検索部１１は、電子カルテ９から、患者識別データに関する患者情報９ａを含む患者データ１３を抽出し、抽出した患者データ１３を通信部Ｃ１経由で管理サーバＳｂへ送信する。
【００４３】
次に、管理サーバＳｂを説明する。
【００４４】
管理サーバＳｂは、医療サーバＳａ、管理端末２、ベッドサイド端末４と連携して動作する。管理サーバＳｂは、複数に分割されていてもよい。
【００４５】
管理サーバＳｂは、例えば、接続装置３を用いて、当該接続装置３に接続されている少なくとも１つの機器を管理する情報処理装置である。
【００４６】
また、管理サーバＳｂは、例えば、医療サーバＳａから電子カルテ９の少なくとも一部を含む患者データ１３を受信し、この受信した患者データ１３を用いてベッドサイド端末４に各種のデータを表示させるサービスを提供する情報処理装置である。
【００４７】
管理サーバＳｂは、ベッドサイド端末４などのベッドサイド機器を管理する管理会社によって運営されてもよい。
【００４８】
より具体的に説明すると、管理サーバＳｂは、第１の関連付けデータＤ１、第２の関連付けデータＤ２、第３の関連付けデータＤ３、第４の関連付けデータＤ４を管理し、第１ないし第４の関連付けデータＤ１〜Ｄ４に基づいて、機器が配置されている位置、機器を使っているユーザ（患者）、例えば機器が通電状態（例えば使用可能状態）にある時間などの使用状態を検出可能とする。これにより、機器がどこで誰に使用さているか、および、機器の使用状態を、管理者が容易かつ効率的に把握することができ、機器の使用状態に対応する課金処理などを効果的に行うことができる。
【００４９】
第１の関連付けデータＤ１は、例えば、接続装置３の接続装置ＩＤ２１と当該接続装置３によって検出されたＲＦＩＤタグ７ａのタグＩＤ２２と、接続装置ＩＤ２１とタグＩＤ２２とが関連付けられた時刻または時間などの時間情報を含む状態情報４７とを関連付けている。管理サーバＳｂは、接続装置３がタグＩＤ２２を検出した場合（言い換えれば、コンセント７とプラグ１７とが接続された場合）に、接続装置３から、接続通知（検出通知）、接続装置ＩＤ２１、タグＩＤ２２を受信する。そして、管理サーバＳｂは、接続装置ＩＤ２１、タグＩＤ２２、接続装置３から接続通知を受信した第１の時刻を含む状態情報４７を関連付けた状態で第１の関連付けデータＤ１に加える。また、管理サーバＳｂは、接続装置３がタグＩＤ２２の検出を終了した場合（言い換えれば、コンセント７とプラグ１７との接続が解除された場合）に、接続装置３から、解除通知、接続装置ＩＤ２１とタグＩＤ２２とのうちの少なくとも一方を、受信する。そして、管理サーバＳｂは、受信した接続装置ＩＤ２１とタグＩＤ２２とのうちの少なくとも一方に関連付けられている状態情報４７に、接続装置３から解除通知を受信した第２の時刻を加える。
【００５０】
第２の関連付けデータＤ２は、ＲＦＩＤタグ７ａのタグＩＤ２２と、当該ＲＦＩＤタグ７ａが付されているコンセント７のコンセントＩＤ２６とを、関連付けている。管理サーバＳｂは、例えば、管理者の操作する管理端末２、ベッドサイド端末４、または、他の装置から、タグＩＤ２２とコンセントＩＤ２６との設定リクエストを受信する。すると、管理サーバＳｂは、設定リクエストにしたがって、タグＩＤ２２とコンセントＩＤ２６とを関連付けた状態で第２の関連付けデータＤ２に加える。
【００５１】
第３の関連付けデータＤ３は、接続装置３の接続装置ＩＤ２１と、接続装置３に接続されている機器の機器ＩＤ４８〜５０とを、関連付けている。第３の関連付けデータＤ３において、１つの接続装置ＩＤに対して１以上の機器ＩＤを関連付けることができる。管理サーバＳｂは、例えば、管理者の操作する管理端末２、ベッドサイド端末４、または、他の装置から、接続装置ＩＤ２１と機器ＩＤ４８〜５０との設定リクエストを受信する。すると、管理サーバＳｂは、設定リクエストにしたがって、接続装置ＩＤ２１と機器ＩＤ４８〜５０とを関連付けた状態で第３の関連付けデータＤ３に加える。
【００５２】
第４の関連付けデータＤ４は、コンセント７のコンセントＩＤ２６と、例えばコンセント７の位置データなどを含むコンセント情報５１とを、関連付けている。管理サーバＳｂは、例えば、管理者の操作する管理端末２、ベッドサイド端末４、または、他の装置から、コンセントＩＤ２６とコンセント情報５１との設定リクエストを受信する。すると、管理サーバＳｂは、設定リクエストにしたがって、コンセントＩＤ２６とコンセント情報５１とを関連付けた状態で第４の関連付けデータＤ４に加える。
【００５３】
なお、第１ないし第４の関連付けデータＤ１〜Ｄ４は、適宜組み合わせてもよく、分割してもよい。例えば、第１ないし第４の関連付けデータＤ１〜Ｄ４は、少なくとも１つのテーブルなどで管理されてもよい。例えば、第２の関連付けデータＤ２と第４の関連付けデータＤ４とが組み合わされてもよい。例えば、第１の関連付けデータＤ１は、接続装置ＩＤ２１とタグＩＤ２２とを関連付けたデータと、接続装置ＩＤ２１と状態情報４７とを関連付けたデータとに分割されてもよい。
【００５４】
上記の第１の関連付けデータＤ１において接続装置ＩＤ２１に関連付けられている状態情報４７は、第３の関連付けデータＤ３の接続装置ＩＤ２１に関連付けられてもよい。また、接続装置ＩＤ２１と状態情報４７との関連付けは、第１の関連付けデータＤ１でも第３の関連付けデータＤ３でもない他のデータで管理されてもよい。
【００５５】
第２の関連付けデータＤ２と第４の関連付けデータＤ４において、コンセントＩＤ２６とコンセント情報とは削除され、タグＩＤ２２と、タグ７ａの位置データを含むタグ情報とが関連付けられてもよい。
【００５６】
管理部１５は、管理端末２、ベッドサイド端末４、または、他の装置から通信部Ｃ２経由で受信した設定リクエストにしたがって、タグＩＤ２２およびコンセントＩＤ２６を第２の関連付けデータＤ２に登録する。
【００５７】
管理部１５は、管理端末２、ベッドサイド端末４、または、他の装置から通信部Ｃ２経由で受信した設定リクエストにしたがって、接続装置ＩＤ２１および機器ＩＤ４８〜５０を第３の関連付けデータＤ３に登録する。
【００５８】
管理部１５は、管理端末２、ベッドサイド端末４、または、他の装置から通信部Ｃ２経由で受信した設定リクエストにしたがって、コンセントＩＤ２６およびコンセント情報５１を第４の関連付けデータＤ４に登録する。
【００５９】
そして、管理部１５は、接続装置３から通信部Ｃ２経由で、接続通知、接続装置ＩＤ２１、タグＩＤ２２を受信すると、接続装置ＩＤ２１、タグＩＤ２２、接続通知を受信した第１の時刻を含む状態情報４７を関連付けた状態で、第１の関連付けデータＤ１に登録する。
【００６０】
管理部１５は、接続装置３から通信部Ｃ２経由で、解除通知、接続装置ＩＤ２１とタグＩＤ２２とのうちの少なくとも一方とを受信すると、第１の関連付けデータＤ１において、受信した接続装置ＩＤ２１とタグＩＤ２２とのうちの少なくとも一方に関連付けられている状態情報４７に、解除通知を受信した第２の時刻を加える更新を行う。
【００６１】
管理部１５は、第１ないし第４の関連付けデータＤ１〜Ｄ４に基づいて、接続装置ＩＤ２１、タグＩＤ２２、状態情報４７、コンセントＩＤ２６、機器ＩＤ４８〜５０、コンセント情報５１が関連することを検出（認識）する。
【００６２】
また、管理部１５は、コンセント情報５１に含まれている位置データと、例えば患者データ１３内の患者情報９ａに含まれている第２の位置データと、患者情報９ａに含まれており当該第２の位置データに関連付けられている患者識別データとが関連することを検出する。
【００６３】
したがって、管理部１５は、患者識別データの示す患者が、コンセント情報５１に含まれている位置データの示す位置で、機器ＩＤ４８〜５０の示す機器を、状態情報４７の示す状態で、使用していることを、検出する。そして、管理部１５は、通信部Ｃ２経由で、管理端末２、ベッドサイド端末４、または、他の装置へ検出結果データを送信する。
【００６４】
管理端末２、ベッドサイド端末４、または、他の装置は、管理部１５から通信部Ｃ２経由で受信した検出結果データを表示する。これにより、例えば管理者は、どの患者が、どの位置で、どの機器を、どのような状態で使用しているかを、容易にかつ効率的に把握することができる。
【００６５】
管理サーバＳｂは、ベッドサイド端末４の第１の位置データと端末識別データとを関連付けた端末データ１２を管理している。
【００６６】
管理サーバＳｂは、例えば、管理端末２、ベッドサイド端末４、または、他の装置から、ベッドサイド端末４を示す端末識別データとベッドサイド端末４の第１の位置データとを受信する。すると、管理サーバＳｂは、端末識別データとベッドサイド端末４の第１の位置データとを関連付けて端末データ１２へ登録する。
【００６７】
第１の実施形態においては、管理サーバＳｂは、ベッドサイド端末４から、端末識別データとベッドサイド端末４の第１の位置データとを受信する場合を例として説明する。しかしながら、ベッドサイド端末４の第１の位置データとして、上記第１ないし第２の関連付けデータＤ１〜Ｄ４によって検出されるベッドサイド端末４の位置データが使用されてもよい。
【００６８】
管理サーバＳｂは、例えば、管理サーバＳｂが医療サーバＳａと第１の通信方式（例えば、File Transfer Protocolを用いた通信）によりデータ通信を行う場合に、周期的に、入院している患者に関する患者情報９ａの検索コマンドを、医療サーバＳａへ送信する。そして、管理サーバＳｂは、応答として、入院している患者に関する患者情報９ａを含む患者データ１３を、医療サーバＳａから受信する。
【００６９】
管理サーバＳｂは、例えば、管理サーバＳｂが医療サーバＳａと第２の通信方式（例えば、ソケット通信）によりデータ通信を行う場合に、管理端末２から患者識別データを受信し、患者識別データと検索コマンドとを、医療サーバＳａへ送信する。そして、管理サーバＳｂは、応答として、患者識別データに関する患者情報９ａを含む患者データ１３を、医療サーバＳａから受信する。
【００７０】
なお、管理サーバＳｂは、例えば、一度、患者識別データを用いて患者データ１３を取得すると、その後は、患者データ１３に含まれている患者識別データに基づいて、周期的に、医療サーバＳａから患者データ１３を取得してもよい。
【００７１】
管理サーバＳｂは、患者データ１３の中から、ベッドサイド端末４の第１の位置データと関連する第２の位置データを含む患者情報９ａを選択する。
【００７２】
そして、管理サーバＳｂは、選択した患者情報９ａに基づいて表示データ１４を生成し、端末識別データで示されるベッドサイド端末４へ表示データ１４を送信する。
【００７３】
第１の実施形態において、管理サーバＳｂが、制御部１６により端末データ１２と患者データ１３とに基づいて表示データ１４を生成し、生成した表示データ１４を通信部Ｃ２経由でベッドサイド端末４へ送信することの詳細な説明は省略する。この詳細な説明は第２の実施形態で行う。
【００７４】
次に、接続装置３を説明する。
【００７５】
接続装置３は、接続装置３のプラグ１７がコンセント７に接続された場合に、コンセント７に付されているＲＦＩＤタグ７ａからタグＩＤ２２を受信し、接続通知と、接続装置３の接続ＩＤ２１と、ＲＦＩＤタグ７ａのタグＩＤ２２とを、管理サーバＳｂへ送信する。
【００７６】
接続装置３は、ベッドサイド端末４、テレビジョン５、冷蔵庫６と接続される。接続装置３は、プラグ１７がコンセント７に接続された場合に、コンセント７から供給された電力をベッドサイド端末４、テレビジョン５、冷蔵庫６へ供給する。
【００７７】
そして、接続装置３は、接続装置３のプラグ１７とコンセント７とが非接続となった場合に、解除（非接続）通知と、接続装置ＩＤ２１とタグＩＤ２２とのうちの少なくとも一方とを、管理サーバＳｂへ送信する。
【００７８】
プラグ１７に備えられているセンサ１７ａは、プラグ１７がコンセント７に接続されると、ＲＦＩＤタグ７ａのタグＩＤ２２を検出する。
【００７９】
プラグ１７は、コンセント７と接続されると、コンセント７から受けた電力を、接続部１９経由でベッドサイド端末４、テレビジョン５、冷蔵庫６へ供給する。
【００８０】
受信部１８は、センサ１７ａからタグＩＤ２２を受信する。
【００８１】
接続部１９は、例えば、プラグ１７から引き出されている電力線の一方の端部と接続される。また、接続部１９は、例えば、ベッドサイド端末４、テレビジョン５、冷蔵庫６などのような各種の機器と接続される。ベッドサイド端末４、テレビジョン５、冷蔵庫６などの各種の機器は、接続部１９に対して着脱可能とする。接続部１９は、例えばコンセントであり、ベッドサイド端末４、テレビジョン５、冷蔵庫６などの各種の機器のプラグと接続可能でもよい。
【００８２】
受信処理部２３は、例えば、センサ１７ａから受信部１８経由でタグＩＤ２２を受信するなどによりコンセント７とプラグ１７との接続を検知すると、センサ１７ａから受信部１８経由で受信したタグＩＤ２２を、記憶部Ｍ３に記憶させる。
【００８３】
送信処理部２４は、コンセント７とプラグ１７との接続を検知すると、記憶部Ｍ３から接続装置ＩＤ２１とタグＩＤ２２とをリードし、接続通知、接続装置ＩＤ２１、タグＩＤ２２を、通信部Ｃ３経由で管理サーバＳｂへ送信する。
【００８４】
さらに、送信処理部２４は、コンセント７とプラグ１７とが非接続となったことを検知すると、記憶部Ｍ３に記憶されている接続装置ＩＤ２１とタグＩＤ２２とのうちの少なくとも一方をリードし、解除通知と、接続装置ＩＤ２１とタグＩＤ２２とのうちの少なくとも一方とを、通信部Ｃ３経由で管理サーバＳｂへ送信する。
【００８５】
プロセッサＰ３は、例えば、管理サーバＳｂから通信部Ｃ３経由で、機器の使用制限コマンドおよび機器ＩＤを受信した場合に、使用制限コマンドにしたがって、受信した機器ＩＤに対応する機器の使用を制限してもよい。例えば、プロセッサＰ３は、ベッドサイド端末４およびテレビジョン５の使用可能時間を制限してもよい。
【００８６】
なお、接続装置３においてソフトウェア２０に基づいて実行される処理は、ハードウェアにより実現されてもよい。
【００８７】
図３は、第１の実施形態に係る情報処理システム１の第１の処理の例を示すフローチャートである。
【００８８】
ステップＳ３０１において、管理サーバＳｂは、例えば、管理端末２から、第２ないし第４の関連付けデータＤ２〜Ｄ４の設定リクエストを受信する。
【００８９】
ステップＳ３０２において、管理サーバＳｂは、管理端末２から受信した設定リクエストにしたがって、第２ないし第４の関連付けデータＤ２〜Ｄ４を記憶部Ｍ２に記憶させる。
【００９０】
図４は、第１の実施形態に係る情報処理システム１の第２の処理の例を示すフローチャートである。
【００９１】
ステップＳ４０１において、接続装置３のプラグ１７がコンセント７に接続される。
【００９２】
ステップＳ４０２において、接続装置３は、接続装置３のプラグ１７に備えられているセンサ１７ａから、タグＩＤ２２を受信する。
【００９３】
ステップＳ４０３において、接続装置３は、接続通知、接続装置ＩＤ２１、タグＩＤ２２を、管理サーバＳｂへ送信する。
【００９４】
ステップＳ４０４において、管理サーバＳｂは、接続装置３から、接続通知、接続装置ＩＤ２１、タグＩＤ２２を、受信する。
【００９５】
ステップＳ４０５において、管理サーバＳｂは、受信した接続装置ＩＤ２１と、受信したタグＩＤ２２と、接続通知の受信時刻などを含む状態情報４７とを、関連付けた状態で第１の関連付けデータＤ１に加える。
【００９６】
ステップＳ４０６において、管理サーバＳｂは、記憶部Ｍ２に記憶されている第１ないし第４の関連付けデータＤ１〜Ｄ４、記憶部Ｍ２に記憶されている患者情報９ａに含まれている患者識別データおよび第２の位置データに基づいて、接続装置３に接続されている機器、機器を使用する患者、接続装置３に接続されている機器の位置、使用中の機器の使用開始時刻および使用時間などを検出する。そして、管理サーバＳｂは、検出結果データを、管理端末２、ベッドサイド端末４、または、他の装置へ送信する。管理端末２、ベッドサイド端末４、または、他の装置は、管理サーバＳｂから受信した検出結果データを表示する。
【００９７】
図５は、第１の実施形態に係る情報処理システム１の第３の処理の例を示すフローチャートである。
【００９８】
ステップＳ５０１において、接続装置３のプラグ１７とコンセント７とが非接続になる。
【００９９】
ステップＳ５０２において、接続装置３は、解除通知、接続装置ＩＤ２１とタグＩＤ２２とのうちの少なくとも一方を、管理サーバＳｂへ送信する。
【０１００】
ステップＳ５０３において、管理サーバＳｂは、接続装置３から、解除通知、接続装置ＩＤ２１とタグＩＤ２２とのうちの少なくとも一方を、受信する。
【０１０１】
ステップＳ５０４において、管理サーバＳｂは、受信した接続装置ＩＤ２１とタグＩＤ２２とのうちの少なくとも一方に関連付けられている状態情報４７を、更新する。例えば、管理サーバＳｂは、状態情報４７に、解除通知を受信した時刻情報を加える。
【０１０２】
ステップＳ５０５において、管理サーバＳｂは、記憶部Ｍ２に記憶されている第１ないし第４の関連付けデータＤ１〜Ｄ４、記憶部Ｍ２に記憶されている患者情報９ａに含まれている患者識別データおよび第２の位置データに基づいて、患者ごとの機器の使用（レンタル）履歴、患者ごとの機器の累積使用時間（累積の通電可能時間）などを検出する。また、管理サーバＳｂは、患者ごとの機器の使用料金の課金処理を実行してもよい。そして、管理サーバＳｂは、検出結果データ、課金処理結果データを、管理端末２、ベッドサイド端末４、または、他の装置へ送信する。管理端末２、ベッドサイド端末４、または、他の装置は、管理サーバＳｂから受信した検出結果データおよび課金処理結果データを表示する。
【０１０３】
以上説明した第１の実施形態において、管理サーバＳｂの記憶部Ｍ２は、施設に設置されているＲＦＩＣタグ７ａに対応するタグＩＤ（第１の識別情報）２２と、ＲＦＩＣタグ７ａに関する情報（例えばコンセント情報５１）とを関連付けた第２および第４の関連付けデータ（第１のデータ）Ｄ２，Ｄ４を記憶する。
【０１０４】
第１の実施位形態において、コンセント情報５１は、位置データ（第１の位置データ）を含む。
【０１０５】
また、管理サーバＳｂの記憶部Ｍ２は、接続装置ＩＤ（第２の識別情報）２１と、機器ＩＤ（第３の識別情報）４８〜５０とを関連付けた第３の関連付けデータ（第２のデータ）Ｄ３を記憶する。
【０１０６】
さらに、管理サーバＳｂの記憶部Ｍ２は、患者に対応する患者識別データと患者に対応する位置データ（第２の位置データ）とを関連付けた患者情報（第３のデータ）９ａを記憶する。
【０１０７】
接続装置３は、施設に設置されているＲＦＩＣタグ７ａからタグＩＤ２２を受信し、タグＩＤ２２と接続装置ＩＤ２１とを、管理サーバＳｂへ送信する。
【０１０８】
プロセッサＰ２は、接続装置３からタグＩＤ２２および接続装置ＩＤ２１を受信する。すると、プロセッサＰ２は、接続装置３から受信したタグＩＤ２２および接続装置ＩＤ２１と、記憶部Ｍ２に記憶されている第２ないし第４の関連付けデータＤ２〜Ｄ４と、患者情報９ａとに基づいて、接続装置３に接続されている機器に関連する情報を検出し、機器ごとに、位置データと患者識別データと状態情報４７とを検出する。
【０１０９】
以上説明した第１の実施形態においては、接続装置３のプラグ１７をコンセント７に装着することにより、接続装置３に接続されている機器とその状態（例えばユーザ、位置、使用時間、通電状態か否かなど）をまとめて管理することができる。
【０１１０】
具体的には、第１の実施形態においては、例えば、管理者は、どの患者が、どの位置で、どの機器を、どのような状態で使用しているかを、容易にかつ効率的に把握することができる。また、機器の使用（レンタル）料などの課金処理を自動で行うことができる。
【０１１１】
第１の実施形態に係る情報処理システム１においては、管理者による機器の管理労力を軽減することができる。第１の実施形態に係る情報処理システム１においては、患者に応じて各種の機器の使用を許可または禁止することができる。例えば、ベッドサイド端末４およびテレビジョン５で表示可能なコンテンツの内容、機器の使用を許可するか否かなどを、患者の年齢、時刻、累積使用時間などに応じて制限することができる。
【０１１２】
第１の実施形態に係る情報処理システム１においては、施設におけるコンセント７の位置とリンクして機器の位置を把握することができる。
【０１１３】
なお、第１の実施形態においては、ＲＦＩＤタグ７ａがコンセント７に対して付されている場合を例として説明しているが、ＲＦＩＤタグ７ａは、施設において位置を検出したい様々な場所に設置可能である。例えば、ＲＦＩＤタグ７ａは、ベッド、壁、床、天井などに設置されてもよい。
【０１１４】
第１の実施形態においては、センサ１７ａがプラグ１７に備えられている場合を例として説明しているが、センサ１７ａは、接続装置３のプラグ１７ではない他の場所に備えられてもよい。
【０１１５】
接続装置３の機能は、ベッドサイド端末４に備えられていてもよい。
【０１１６】
（第２の実施形態）
第２の実施形態では、上記第１の実施形態に係る情報処理システム１において表示データ１４を生成し、生成した表示データ１４をベッドサイド端末４に表示させる処理の詳細を説明する。第２の実施形態の例では、患者データ１３と端末データ１２とがベッドサイド端末４の位置データにより関連付けられる。第２の実施形態において、上記第１の実施形態で説明済みの事項は、説明を省略する場合がある。
【０１１７】
図６は、第２の実施形態に係る情報処理システム１の例を示すブロック図である。
【０１１８】
管理サーバＳｂの記憶部Ｍ２は、例えば、ソフトウェア４６、端末データ１２、患者識別データＰＩＤ１、補充位置データ２５、指定情報２５ａ、患者データ１３、ピクトグラムデータ５２、表示データ１４を記憶する。
【０１１９】
管理サーバＳｂのプロセッサＰ２は、例えば、記憶部Ｍ２に記憶されているソフトウェア４６を実行することにより、編集部２７、取得部２８、位置補充部２９、選択部３０、生成部３１、送信部３２としての機能を実現する。
【０１２０】
ベッドサイド端末４は、例えば、通信部Ｃ４、操作受付部Ｒ１、表示部ＤＰ１、記憶部Ｍ４、プロセッサＰ４などを備える。なお、ベッドサイド端末４は、ベッドサイドに配置されない他の種別の端末でもよい。
【０１２１】
ベッドサイド端末４の記憶部Ｍ４は、例えば、ソフトウェア３３、ベッドサイド端末４の第１の位置データ３４ａ、表示データ１４を記憶する。
【０１２２】
ベッドサイド端末４のプロセッサＰ４は、例えば、記憶部Ｍ４に記憶されているソフトウェア３３を実行することにより、受付部３５、送信部３６、受信部３７、表示制御部３８としての機能を実現する。ソフトウェア３３は、例えば、ＯＳ、ブラウザ、通信制御ソフトウェアなどを含むとしてもよい。
【０１２３】
管理端末２は、例えば、通信部Ｃ５、操作受付部Ｒ２、表示部ＤＰ２、記憶部Ｍ５、プロセッサＰ５などを備える。
【０１２４】
管理端末２の記憶部Ｍ５は、例えば、ソフトウェア３９、患者識別データＰＩＤ１、補充位置データ２５、指定情報２５ａを記憶する。
【０１２５】
管理端末２のプロセッサＰ５は、例えば、記憶部Ｍ５に記憶されているソフトウェア３９を実行することにより、受付部４０、送信部４１としての機能を実現する。ソフトウェア３９は、例えば、ＯＳ、ブラウザ、通信制御ソフトウェアなどを含むとしてもよい。
【０１２６】
以下で、管理サーバＳｂ、ベッドサイド端末４、管理端末２を順に説明する。
【０１２７】
まず、管理サーバＳｂを説明する。
【０１２８】
第２の実施形態において、管理サーバＳｂは、ベッドサイド端末４の第１の位置データ３４ａと端末識別データとを関連付けた端末データ１２を管理している。
【０１２９】
管理サーバＳｂは、上記第１の実施形態で説明したように、ベッドサイド端末４から、ベッドサイド端末４を示す端末識別データとベッドサイド端末４の第１の位置データ３４ａとを受信し、端末識別データとベッドサイド端末４の第１の位置データ３３４ａとを関連付けて端末データ１２へ登録する。管理サーバＳｂは、患者データ１３の中から、ベッドサイド端末４の第１の位置データ３４ａと関連する第２の位置データを含む患者情報９ａを選択する。そして、管理サーバＳｂは、選択した患者情報９ａに基づいて表示データ１４を生成し、端末識別データで示されるベッドサイド端末４へ表示データ１４を送信する。
【０１３０】
ソフトウェア４６は、プロセッサＰ２によって実行されることにより、医療サーバＳａと連携し、表示データ１４を生成し、表示データ１４をベッドサイド端末４へ送信するための各種機能（例えば、上記第１の実施形態における制御部１６としての機能）を実現する。
【０１３１】
端末データ１２は、ベッドサイド端末４の情報を記録しているデータである。端末データ１２は、ベッドサイド端末４を示す端末識別データと、ベッドサイド端末４の第１の位置データ３４ａとを関連付けている。
【０１３２】
なお、端末データ１２は、第１ないし第４の関連付けデータＤ１〜Ｄ４を用いて互いに間接的に関連付けられている第３の関連付けデータＤ３における機器ＩＤ４８と、第４の関連付けデータＤ４におけるコンセント情報５１の位置データとにより代用可能である。管理サーバＳｂは、機器ＩＤ４８とコンセント情報５１とが互いに関連付けられた状態にあることを、第３の関連付けデータＤ３、第１の関連付けデータＤ１、第２の関連付けデータＤ２、第４の関連付けデータＤ４の順で参照することで、検出可能である。
【０１３３】
また、管理サーバＳｂは、第３の関連付けデータＤ３、第１の関連付けデータＤ１、第２の関連付けデータＤ２、第４の関連付けデータＤ４に基づいて端末データ１２を生成し、生成した端末データ１２を記憶部Ｍ２に記憶させてもよい。
【０１３４】
第２の実施形態において、患者識別データＰＩＤ１は、ベッドサイド端末４、または、ベッドサイド端末４ではない例えば管理端末２などのコンピュータから管理サーバＳｂへ送信されるものとする。
【０１３５】
補充位置データ２５は、端末データ１２の第１の位置データ３４ａと患者データ１３の第２の位置データとのマッチングにおいて第２の位置データに不足する情報がある場合に、当該第２の位置データに対する補充に用いられるデータである。
【０１３６】
指定情報２５ａは、患者データ１３において補充位置データ２５の補充先（組み込み先）となる第２の位置データを指定する。
【０１３７】
ピクトグラムデータ５２は、ベッドサイド端末４に送信される表示データ１４を生成するために利用されるピクトグラムを含む。
【０１３８】
表示データ１４は、例えば、端末データ１２に含まれているベッドサイド端末４の第１の位置データ３４ａと整合する第２の位置データを含む患者情報９ａと、ピクトグラムデータ５２とに基づいて生成され、ベッドサイド端末４へ送信される画面表示のためのデータである。
【０１３９】
編集部２７は、例えば他の装置から通信部Ｃ２経由でコマンドを受信し、コマンドにしたがって記憶部Ｍ２の端末データ１２に対するデータの登録、編集、管理、更新、または、削除などを行う。
【０１４０】
編集部２７は、例えば、ベッドサイド端末４から通信部Ｃ２経由でベッドサイド端末４の端末識別データと第１の位置データ３４ａとを受信し、受信したベッドサイド端末４の端末識別データと第１の位置データ３４ａとを関連付けて端末データ１２に登録する。
【０１４１】
取得部２８は、管理サーバＳｂのプロセッサＰ２および通信部Ｃ２が医療サーバＳａと第１の通信方式によりデータ通信を行う場合に、周期的に、入院している患者に関する患者情報９ａの検索コマンドを、通信部Ｃ２経由で医療サーバＳａへ送信する。取得部２８は、入院している患者に関する患者情報９ａの検索コマンドの応答として、電子カルテ９に含まれており入院している患者に関する患者情報９ａを含む患者データ１３を、医療サーバＳａから通信部Ｃ２経由で受信する。そして、取得部２８は、患者データ１３を記憶部Ｍ２へライトする。
【０１４２】
取得部２８は、管理サーバＳｂのプロセッサＰ２および通信部Ｃ２が医療サーバＳａと第２の通信方式によりデータ通信を行う場合に、例えば、ベッドサイド端末４ではない管理端末２から通信部Ｃ２経由で患者識別データＰＩＤ１を受信する。さらに、取得部２８は、患者識別データＰＩＤ１と検索コマンドとを、通信部Ｃ２経由で医療サーバＳａへ送信する。管理サーバＳｂは、患者識別データＰＩＤ１と検索コマンドの応答として、患者識別データＰＩＤ１の示す患者に関する患者情報９ａを含む患者データ１３を、医療サーバＳａから通信部Ｃ２経由で受信する。そして、取得部２８は、患者データ１３を記憶部Ｍ２へライトする。その後、取得部２８は、患者データ１３に含まれている患者識別データＰＩＤ１と検索コマンドとを、周期的に、通信部Ｃ２経由で医療サーバＳａへ送信し、同様の処理を繰り返してもよい。
【０１４３】
第２の実施形態において、患者データ１３に含まれている第２の位置データが端末データ１２に含まれているベッドサイド端末４の第１の位置データ３４ａの一部である場合がある。
【０１４４】
例えば、患者データ１３に含まれている第２の位置データは、病棟および病室の識別データを含むが、ベッドの識別データまでは含まない場合がある。
【０１４５】
このように、第１の位置データ３４ａと第２の位置データとのマッチングにおいて第２の位置データに情報の不足がある場合、位置補充部２９は、例えば、患者データ１３の少なくとも一部と端末データ１２の少なくとも一部とを、通信部Ｃ２経由で管理端末２へ送信する。管理端末２は、管理サーバＳｂから患者データ１３の少なくとも一部と端末データ１２の少なくとも一部とを受信し、表示する。管理端末２は、管理者Ｍによる操作にしたがって、第１の位置データ３４ａを用いたマッチングで不足する情報（例えば、ベッドの識別データ）を補充するための補充位置データ２５と、補充先となる第２の位置データを指定する指定情報２５ａとを受け付ける。管理端末２は、補充位置データ２５と指定情報２５ａとを、管理サーバＳｂへ送信する。位置補充部２９は、補充位置データ２５および指定情報２５ａを、管理端末２から通信部Ｃ２経由で受信する。
【０１４６】
すると、位置補充部２９は、患者データ１３に含まれており指定情報２５ａによって指定される第２の位置データに、補充位置データ２５を組み込む。
【０１４７】
これにより、第１の位置データ３４ａと第２の位置データとのマッチングが可能になる。
【０１４８】
選択部３０は、記憶部Ｍ２に記憶されている端末データ１２と患者データ１３とに基づいて、患者データ１３の中から、端末データ１２に含まれているベッドサイド端末４の第１の位置データ３４ａと整合する第２の位置データを含む患者情報９ａを選択する。
【０１４９】
生成部３１は、選択部３０によって選択された患者情報９ａと、記憶部Ｍ２に記憶されているピクトグラムデータ５２とに基づいて、患者情報９ａに関する表示データ１４を生成し、記憶部Ｍ２にライトする。
【０１５０】
送信部３２は、記憶部Ｍ２から表示データ１４をリードする。そして、送信部３２は、記憶部Ｍ２に記憶されている端末データ１２において第１の位置データ３４ａと関連付けられている端末識別データによって示されるベッドサイト端末４に、通信部Ｃ２経由で表示データ１４を送信する。
【０１５１】
次に、ベッドサイド端末４を説明する。
【０１５２】
受付部３５は、ベッドサイド端末４のユーザＵから操作受付部Ｒ１経由で、ベッドサイド端末４の第１の位置データ３４ａを受け付ける。そして、受付部３５は、ベッドサイド端末４の第１の位置データ３４ａを記憶部Ｍ４にライトする。
【０１５３】
送信部３６は、記憶部Ｍ４からベッドサイドの第１の位置データ３４ａをリードし、端末識別データとベッドサイドの第１の位置データ３４ａとを、通信部Ｃ３経由で管理サーバＳｂへ送信する。
【０１５４】
ここで、端末識別データはソフトウェア３３に含まれている（設定されている）としてもよい。また、受付部３５は、端末識別データを、ユーザＵから操作受付部Ｒ１経由で取得してもよい。
【０１５５】
受信部３７は、管理サーバＳｂから通信部Ｃ４経由で表示データ１４を受信し、表示データ１４を記憶部Ｍ４へライトする。
【０１５６】
表示制御部３８は、記憶部Ｍ４から表示データ１４をリードし、表示データ１４を表示部ＤＰ１へ表示させるための制御を実行する。
【０１５７】
次に、管理端末２を説明する。
【０１５８】
管理端末２は、管理者Ｍが操作する。管理端末２は、ベッドサイド端末４とは異なる装置である。管理端末２は、例えば、医療サーバＳａで管理されている電子カルテ９を操作するためのコンピュータでもよい。
【０１５９】
受付部４０は、管理サーバＳｂのプロセッサＰ５および通信部Ｃ５が医療サーバＳａと第２の通信方式によりデータ通信を行う場合に、管理者Ｍから操作受付部Ｒ２経由で、患者識別データＰＩＤ１を受け付ける。そして、受付部４０は、患者識別データＰＩＤ１を記憶部Ｍ５にライトする。
【０１６０】
受付部４０は、端末データ１２の第１の位置データ３４ａと患者データ１３の第２の位置データとのマッチングにおいて第２の位置データに情報の不足がある場合に、例えば、管理サーバＳｂから、患者データ１３の少なくとも一部と端末データ１２の少なくとも一部とを、通信部Ｃ５経由で受信する。受付部４０は、管理サーバＳｂから受信した患者データ１３の少なくとも一部と端末データ１２の少なくとも一部とを表示部ＤＰ２へ表示する。受付部４０は、管理者Ｍが操作する操作受付部Ｒ２経由で、補充位置データ２５と指定情報２５ａとを受け付ける。そして、受付部４０は、補充位置データ２５と指定情報２５ａとを記憶部Ｍ５にライトする。
【０１６１】
受付部４０は、例えば、管理者Ｍが操作する操作受付部Ｒ２経由で、第２ないし第４の関連付けデータＤ２〜Ｄ４のうちの少なくとも一部の設定を受け付ける。
【０１６２】
送信部４１は、管理サーバＳｂのプロセッサＰ２および通信部Ｃ２が医療サーバＳａと第２の通信方式によりデータ通信を行う場合に、患者識別データＰＩＤ１を記憶部Ｍ５からリードし、患者識別データＰＩＤ１を通信部Ｃ５経由で管理サーバＳｂへ送信する。
【０１６３】
送信部４１は、端末データ１２の第１の位置データ３４ａと患者データ３の第２の位置データとのマッチングにおいて第２の位置データに情報の不足がある場合に、補充位置データ２５と指定情報２５ａとを記憶部Ｍ５からリードし、補充位置データ２５と指定情報２５ａとを、通信部Ｃ５経由で管理サーバＳｂへ送信する。
【０１６４】
送信部４１は、例えば、受付部４０によって第２ないし第４の関連付けデータＤ２〜Ｄ４のうちの少なくとも一部の設定が受け付けられた場合に、受け付けた設定に対応する設定リクエストを、通信部Ｃ５経由で管理サーバＳｂへ送信する。
【０１６５】
図７は、電子カルテ９と患者データ８と端末データ１２と補充位置データ２５と指定情報２５ａとの関係の例を示す図である。
【０１６６】
電子カルテ９は、例えば、患者ごとに、患者識別データ、第２の位置データ、医師識別データ、診療データ、入院／通院データを関連付けた患者情報を含む。図７の例では、電子カルテ９は、患者に関する患者識別データＰＩＤ１、第２の位置データ３４ｂ、医師識別データ４２、診療データ４３、入院／通院データ４４を関連付けた患者情報９ａを含む。
【０１６７】
患者データ１３は、例えば、電子カルテ９から、患者が入院していることを示す入院／通院データ４４を含む患者情報９ａを抽出したデータとしてもよい。
【０１６８】
あるいは、患者データ１３は、例えば、電子カルテ９から、指定された患者識別データＰＩＤ１を含む患者情報９ａを抽出したデータとしてもよい。
【０１６９】
補充位置データ２５は、患者データ１３において指定情報２５ａによって指定されている第２の位置データ３４ｂに組み込まれる。
【０１７０】
端末データ１２では、端末識別データ４５とベッドサイド端末４の第１の位置データ３４ａとが関連付けられている。
【０１７１】
第２の実施形態において、患者データ１３に含まれている第２の位置データ３４ｂと端末データ１２に含まれている第１の位置データ３４ａとはマッチング可能である。したがって、管理サーバＳｂは、患者データ１３の患者情報９ａに基づいて生成された表示データ１４を送信する宛先となる端末識別データ４５を取得可能である。
【０１７２】
図８は、第２の実施形態に係る情報処理システム１の処理の一例を示すフローチャートである。
【０１７３】
ステップＳ８０１ａにおいて、医療サーバＳａは、電子カルテ９に、患者識別データＰＩＤ１、第２の位置データ３４ｂ、医師識別データ４２、診療データ４３、入院／通院データ４４などを含む患者情報９ａを登録する。
【０１７４】
ステップＳ８０１ｂにおいて、管理サーバＳｂは、電子カルテ９のうちの少なくとも一部であり患者情報９ａを含む患者データ１３を取得する。
【０１７５】
このステップＳ８０１ｂにおいて、管理サーバＳｂは、ベッドサイド端末４、または、ベッドサイド端末４ではない装置から患者識別データＰＩＤ１を受信し、医療サーバＳａから患者識別データＰＩＤ１に関連する患者情報９ａを含む患者データ１３を取得してもよい。
【０１７６】
ステップＳ８０１ｂにおいて、管理サーバＳｂは、管理端末２から受信した補充位置データ２５および指定情報２５ａに基づいて、患者データ１３に含まれており指定情報２５ａによって指定される第２の位置データ３４ｂに、補充位置データ２５を補充してもよい。
【０１７７】
ステップＳ８０２において、管理サーバＳｂは、ベッドサイド端末４から端末識別データ４５とベッドサイド端末４の第１の位置データ３４ａとを受信し、端末データ１２に、端末識別データ４５およびベッドサイド端末４の第１の位置データ３４ａを登録する。
【０１７８】
なお、ステップＳ８０２は、ステップＳ８０１ａの先に実行されてもよく、後に実行されてもよい。また、ステップ８０２は、ステップＳ８０１ｂの先に実行されてもよく、後に実行されてもよい。
【０１７９】
ステップＳ８０３において、管理サーバＳｂは、患者データ１３の第２の位置データ３４ｂが端末データ１２の第１の位置データ３４ａと整合する場合に、患者データ１３から第２の位置データ３４ｂを含む患者情報９ａを選択する。
【０１８０】
ステップＳ８０４において、管理サーバＳｂは、選択した患者情報９ａとピクトグラムデータ５２とに基づいて、ベッドサイド端末４に表示させるための表示データ１４を生成する。
【０１８１】
ステップＳ８０５において、管理サーバＳｂは、端末識別データ４５に基づいて、表示データ１４を、ベッドサイト端末４に送信する。
【０１８２】
ステップＳ８０６において、ベッドサイド端末４は、管理サーバＳｂから表示データ１４を受信する。
【０１８３】
ステップＳ８０７において、ベッドサイド端末４は、管理サーバＳｂから受信した表示データ１４を表示する。
【０１８４】
図９は、第２の実施形態に係る情報処理システム１の概略を例示する図である。
【０１８５】
ベッドサイド端末４は、ユーザＵからベッドサイド端末４の第１の位置データ３４ａを受け付け、端末識別データ４５とベッドサイド端末４の第１の位置データ３４ａとを、管理サーバＳｂへ送信する。
【０１８６】
管理サーバＳｂは、ベッドサイド端末４から端末識別データ４５とベッドサイド端末４の第１の位置データ３４ａとを受信し、端末識別データ４５とベッドサイド端末４の第１の位置データ３４ａとを端末データ１２へ登録する。
【０１８７】
管理サーバＳｂは、例えば、入院している患者に関する患者情報９ａの検索コマンドを医療サーバＳａへ送信し、応答として、電子カルテ９から抽出された入院している患者に関する患者情報９ａを含む患者データ１３を医療サーバＳａから受信し、患者データ１３を記憶する。
【０１８８】
ベッドサイド端末４ではない管理端末２は、管理者Ｍから患者識別データＰＩＤ１を受け付ける場合がある。この場合、管理端末２は、患者識別データＰＩＤ１を管理サーバＳｂへ送信する。管理サーバＳｂは、管理端末２から患者識別データＰＩＤ１を受信すると、患者識別データＰＩＤ１と検索コマンドまたは検索リクエストとを医療サーバＳａへ送信する。そして、管理サーバＳｂは、応答として、電子カルテ９から抽出された患者識別データＰＩＤ１に対応する患者情報９ａを含む患者データ１３を医療サーバＳａから受信し、患者データ１３を記憶する。
【０１８９】
管理端末２は、管理者Ｍから補充位置データ２５と指定情報２５ａとを受け付ける場合がある。この場合、管理端末２は、補充位置データ２５と指定情報２５ａとを管理サーバＳｂへ送信する。管理サーバＳｂは、指定情報２５ａに基づいて、患者データ１３内の患者情報９ａの第２の位置データ３４ｂに補充位置データ２５を組み込む。
【０１９０】
管理サーバＳｂは、患者データ１３において、端末データ１２の第１の位置データ３４ａと整合する第２の位置データ３４ｂを含む患者情報９ａを選択し、選択された患者情報９ａとピクトグラムデータ５２とに基づいて、表示データ１４を生成する。
【０１９１】
管理サーバＳｂは、端末データ１２において第１の位置データ３４ａと関連付けられている端末識別データ４５によって示されるベッドサイド端末４に、表示データ１４を送信する。
【０１９２】
ベッドサイド端末４は、管理サーバＳｂから表示データ１４を受信し、表示データ１４を表示する。
【０１９３】
以上説明した第２の実施形態においては、ベッドサイド端末４に対して、患者識別データＰＩＤ１ではなくベッドサイド端末４の第１の位置データ３４ａが入力される。ベッドサイド端末４の第１の位置データ３４ａは、患者識別データＰＩＤ１よりも医療機関のスタッフが確認容易である。
【０１９４】
したがって、医療機関のスタッフおよび患者が患者識別データＰＩＤ１を記憶していない場合であっても、迅速にベッドサイド端末４のセッティングを行うことができる。
【０１９５】
ベッドの位置変更回数は、ベッドを利用する患者の変更回数よりも少ない。第２の実施形態においては、ベッドを利用する患者が変わっても、ベッドサイド端末４の位置が変更されない限り、ベッドサイド端末４に対して新たな設定入力を行わなくてもよい。このため、第２の実施形態においては、ベッドサイド端末４に対する設定入力の回数を少なくすることができ、設定入力ミスの発生を抑制することができる。また、第２の実施形態においては、ベッドサイド端末４などのような電子機器を病室などで操作する作業を減らすことができる。
【０１９６】
第２の実施形態においては、医療機関のスタッフの作業労力および作業時間が増すことを防止することができる。
【０１９７】
第２の実施形態においては、ベッドサイド端末４に個人情報である患者識別データＰＩＤ１を入力する必要がないため、個人情報の管理を厳格化することができる。
【０１９８】
第２の実施形態においては、医療サーバＳａと管理サーバＳｂとの間のデータ通信の方式に応じて、電子カルテ９からの患者データ１３の取得処理を切り替えることができる。したがって、患者データ１３を適切に収集することができる。
【０１９９】
患者データ１３に含まれている第２の位置データ３４ｂが端末データ１２に含まれているベッドサイド端末４の第１の位置データ３４ａの一部である場合がある。例えば、患者データ１３に含まれている第２の位置データ３４ｂは、病棟および病室の識別データを含むが、ベッドの識別データまでは含まない場合がある。このような場合であっても、第２の実施形態においては、患者データ１３に含まれている第２の位置データ３４ｂに対して補充位置データ２５および指定情報２５ａによって補充が行われる。
【０２００】
これにより、第２の実施形態においては、患者データ１３に含まれている第２の位置データ３４ｂに不足する情報がある場合であっても、表示データ１４をベッドサイド端末４に表示させることができる。
【０２０１】
第２の実施形態において、ベッドサイド端末４は、ユーザＵからベッドサイド端末４の第１の位置データ３４ａを受け付けるとしている。しかしながら、ベッドサイド端末４は、例えば、無線通信により第１の位置データ３４ａを受信する装置、第１の位置データ３４ａを示すバーコードまたは２次元コードの読み取り装置、ＲＦＩＣタグから第１の位置データ３４ａを受信する装置などを用いて、ベッドサイド端末４の第１の位置データ３４ａを取得してもよい。
【０２０２】
上記の各実施形態において、情報処理システム１が介護分野（介護施設）に適用される場合、患者は被介護者であり、スタッフは介護職員などである。
【０２０３】
なお、本願発明は、上記各実施形態そのままに限定されるものではなく、実施段階ではその要旨を逸脱しない範囲で構成要素を変形して具現化できる。また、上記各実施形態に開示されている複数の構成要素の適宜な組み合わせにより種々の発明を形成できる。例えば、各実施形態に示される全構成要素から幾つかの構成要素を削減してもよい。更に、異なる実施形態に亘る構成要素を適宜組合せてもよい。
【符号の説明】
【０２０４】
１…情報処理システム、Ｓａ…医療サーバ、Ｓｂ…管理サーバ、２…管理端末、３…接続装置、４…ベッドサイド端末、７…コンセント、７ａ…ＲＦＩＣタグ、Ｃ１〜Ｃ５…通信部、Ｍ１〜Ｍ５…記憶部、Ｐ１〜Ｐ５…プロセッサ、８，２０，３３，３９，４６…ソフトウェア、９…電子カルテ、９ａ…患者情報、１０，２７…編集部、１１…データ検索部、１２…端末データ、１３…患者データ、１４…表示データ、Ｄ１…第１の関連付けデータ、Ｄ２…第２の関連付けデータ、Ｄ３…第３の関連付けデータ、Ｄ４…第４の関連付けデータ、１５…管理部、１６…制御部、１７…プラグ、１７ａ…センサ、１８…受信部、１９…接続部、２１…接続装置ＩＤ、２２…タグＩＤ、２３…受信処理部、２４…送信処理部、４７…状態情報、２６…コンセントＩＤ、４８〜５０…機器ＩＤ、５１…コンセント情報、ＰＩＤ１…患者識別データ、２８…取得部、２９…位置補充部、３０…選択部、３１…生成部、３２…送信部、３４ａ…第１の位置データ、３４ｂ…第２の位置データ、２５…補充位置データ、２５ａ…指定情報、４５…端末識別データ
【要約】
【課題】施設で使用される様々な機器を効率的に管理する。
【解決手段】情報処理システムは、接続装置と情報処理装置とを備える。接続装置は、ベッドに関連付けて使用される機器と接続可能である。情報処理装置は、接続装置と通信可能である。接続装置は、施設に設置されており第１の識別情報を発信するデバイスから第１の識別情報を受信し、第１の識別情報と接続装置に対応する第２の識別情報とを、情報処理装置へ送信する。情報処理装置は、記憶部とプロセッサとを備える。記憶部は、第１の識別情報とデバイスに関する情報とを関連付けた第１のデータと、第２の識別情報と、機器に対応する第３の識別情報とを関連付けた第２のデータとを記憶する。プロセッサは、接続装置から受信した第１の識別情報および第２の識別情報と、記憶部に記憶されている第１のデータおよび第２のデータとに基づいて、機器に関連する情報を検出する。
【選択図】    図１【図１】
0006925683.tif 000002
【図２】
0006925683.tif 000003
【図３】
0006925683.tif 000004
【図４】
0006925683.tif 000005
【図５】
0006925683.tif 000006
【図６】
0006925683.tif 000007
【図７】
0006925683.tif 000008
【図８】
0006925683.tif 000009
【図９】
0006925683.tif 000010